【事件の表示】
　特許第３２７５２６６号「映像機器におけるモード選択装置」の請求項１、２に係る特許に対する特許異議の申立てについて、次のとおり決定する。
【結　論】
　訂正を認める。
　特許第３２７５２６６号の請求項１、２に係る特許を維持する。
【理　由】
第１．手続きの経緯
　特許第３２７５２６６号の請求項１及び２に係る発明についての出願は，平成４年１月２７日に特許出願され，平成１５年２月８日に設定登録され，その後，その特許について異議申立人，佐藤光男から特許異議の申立てがなされ，取消理由通知がなされ，その指定期間内である平成１５年２月１８日に訂正請求がなされたものである。
　
第２．訂正の適否についての判断
１　訂正の概要
　平成１５年２月１８日付け訂正請求によって特許権者が求めている訂正の内容は以下のとおりである。
ａ．請求項１の記載を「操作モードに関する主メニューを表示手段に表示し又は表示を消すための第１の入力手段と，
　メニュー表示された選択肢の内所望の項目を選択するための第２の入力手段と，
　選択したモードを確定するための第３の入力手段と，
　前記第３の入力手段によって確定したモードを保持する保持手段とを備えた映像機器におけるモード選択装置であって，
　前記入力手段からの指示に応じて主メニューの配下に階層構造をもって設けられる副メニューを作成し，当該副メニューを主メニューと一緒に表示させるために表示手段に送出すると共に，前記保持手段からの設定モード情報に基づいて現在の設定モードに係る項目を，該項目が他の項目に変更されるまでの間，前記第２の入力手段により選択されている項目と区別して表示するメニュー作成手段を備えた
　ことを特徴とする映像機器におけるモード選択装置。」と訂正する。
　ｂ．明細書の段落番号００１３の【課題を解決するための手段】を特許請求の範囲の訂正に整合するよう全文訂正明細書のとおり訂正する。
　
２　訂正の目的，新規事項の有無等の判断
　上記ａの訂正は，現在の設定モードに係る項目の表示が，第２の入力手段により選択される項目の表示とは区別して行われることを明確化し，特許請求の範囲の減縮を目的とするものであり，かつ明細書段落番号００４４ないし００４９及び図８，図９に記載されている範囲内であるから，実質上特許請求の範囲を拡張し又は変更するものでもない。
　上記ｂの訂正は，特許請求の範囲の訂正と整合をとるために必要となる訂正であるから，明りょうでない記載の釈明を目的とするものであり，明細書を実質的に拡張及び変更するものではない。
　
３　むすび
　よって，上記訂正は，特許法１２０条の４第２項の規定及び同条３項で準用する１２６条２項から４項までの規定に適合するので，当該訂正を認める。
　
第３．特許異議の申し立てについて
１　本件発明
　上記２に記載したとおり，平成１５年２月１８日付け訂正請求書による訂正請求は認められるところとなったので，本件発明は，同訂正請求書に添付した訂正明細書の特許請求の範囲の請求項１（以下，「本件発明」という。）に記載された事項により特定されるとおりのものである。
　
２　申立の概要
　特許異議申立人は特許異議の申立て時に，証拠として
　　　甲第１号証：特開昭５９―　６０６２８号公報
　　　甲第２号証：特開平　３―２４８６８４号公報
を提示し，本件発明は，甲第１及び２号証に基づき当業者が容易に発明をすることができたものであるから特許法２９条２項の規定に該当し，取り消されるべきものである旨主張している。
　
３　当審の判断
　特許異議申立人が提示した甲第１号証に記載された発明は，本件発明と「キー入力によって主メニューを表示させた後，メニュー表示された選択肢の内所望の項目を選択すると，選択された項目を他と区別して表示すると同時に選択された項目の副メニューを表示するモード選択装置」である点でなんら相違は認められない。
　また，入力手段や記憶部の構成は，甲第２号証に示されておりこれらの存在にも進歩性は認められない。
　しかし，訂正により限定された構成である「現在の設定モードに係る項目を，該項目が他の項目に変更されるまでの間，前記第２の入力手段により選択されている項目と区別して表示する」副メニューの構成までは，各証拠に示されておらず，それを示唆する記載もない。
　メニュー表示においては甲第２号証にも示されるとおり，通常，現在の設定モードに係る項目と選択されている項目とは区別せずに同一の表示とする，すなわち，選択されている項目のみ表示するものであり，上記減縮された，区別して表示する構成は，甲各号証と比して進歩性を有するといえる。
　
　したがって，本件発明は甲第１号証及び甲第２号証から，当業者が容易に発明をすることができたこととはいえない。
　
　請求項２に係る発明は，請求項１に係る発明を引用して更に限定するものであり，上記と同様の理由により，当業者が容易に発明をすることができたこととはいえない
　
第４．むすび
　以上のとおりであるから，特許異議の申立ての理由及び証拠によっては，本件発明に係る特許を取り消すことはできない。　
　また，他に本件発明の特許を取り消すべき理由を発見しない。
　
　よって，結論のとおり決定する。
【異議決定日】
平成１５年４月３日（２００３．４．３）
【訂正の要旨】
　ａ．特許請求の範囲の請求項１、
「操作モードに関する主メニューを表示手段に表示し又は表示を消すための第１の入力手段と、
　メニュー表示された選択肢の内所望の項目を選択するための第２の入力手段と、
　選択したモードを確定するための第３の入力手段と、
　前記第３の入力手段によって確定したモードを保持する保持手段とを備えた映像機器におけるモード選択装置であって、
　前記入力手段からの指示に応じて主メニューの配下に階層構造をもって設けられる副メニューを作成し、当該副メニューを主メニューと一緒に表示させるために表示手段に送出すると共に、前記保持手段からの設定モード情報に基づいて現在の設定モードに係る項目を他と区別して表示するメニュー作成手段を備えた
　ことを特徴とする映像機器におけるモード選択装置。」を、
「操作モードに関する主メニューを表示手段に表示し又は表示を消すための第１の入力手段と、
　メニュー表示された選択肢の内所望の項目を選択するための第２の入力手段と、
　選択したモードを確定するための第３の入力手段と、
　前記第３の入力手段によって確定したモードを保持する保持手段とを備えた映像機器におけるモード選択装置であって、
　前記入力手段からの指示に応じて主メニューの配下に階層構造をもって設けられる副メニューを作成し、当該副メニューを主メニューと一緒に表示させるために表示手段に送出すると共に、前記保持手段からの設定モード情報に基づいて
現在の設定モードに係る項目を、該項目が他の項目に変更されるまでの間、前記第２の入力手段により選択されている項目と
　ことを特徴とする映像機器におけるモード選択装置。」と訂正する。
　ｂ．明細書の段落番号００１３、
　「【課題を解決するための手段】
　そこで、本発明映像機器におけるモード選択装置は上記した課題を解決するために、操作モードに関する主メニューを表示手段に表示し又は表示を消すための第１の入力手段と、メニュー表示された選択肢の内所望の項目を選択するための第２の入力手段と、選択したモードを確定するための第３の入力手段とこれによって確定したモードを保持する保持手段とを設けるとともに、これら入力手段からの指示に応じて主メニューの配下に階層構造をもって設けられる副メニューを作成して当該副メニューを主メニューと一緒に表示させるために表示手段に送出し、かつ保持手段による設定モード情報に基づいて現在の設定モードに係る項目を他と区別して表示するメニュー作成手段を設けたものである。」を、
　「【課題を解決するための手段】
　そこで、本発明映像機器におけるモード選択装置は上記した課題を解決するために、操作モードに関する主メニューを表示手段に表示し又は表示を消すための第１の入力手段と、メニュー表示された選択肢の内所望の項目を選択するための第２の入力手段と、選択したモードを確定するための第３の入力手段とこれによって確定したモードを保持する保持手段とを設けるとともに、これら入力手段からの指示に応じて主メニューの配下に階層構造をもって設けられる副メニューを作成して当該副メニューを主メニューと一緒に表示させるために表示手段に送出し、かつ保持手段による設定モード情報に基づいて
現在の設定モードに係る項目を、該項目が他の項目に変更されるまでの間、第２の入力手段により選択されている項目と
（５４）【発明の名称】
映像機器におけるモード選択装置
（５７）【特許請求の範囲】
　【請求項１】　操作モードに関する主メニューを表示手段に表示し又は表示を消すための第１の入力手段と、
　メニュー表示された選択肢の内所望の項目を選択するための第２の入力手段と、
　選択したモードを確定するための第３の入力手段と、
　前記第３の入力手段によって確定したモードを保持する保持手段とを備えた映像機器におけるモード選択装置であって、
　前記入力手段からの指示に応じて主メニューの配下に階層構造をもって設けられる副メニューを作成し、当該副メニューを主メニューと一緒に表示させるために表示手段に送出すると共に、前記保持手段からの設定モード情報に基づいて
現在の設定モードに係る項目を、該項目が他の項目に変更されるまでの間、前記第２の入力手段により選択されている項目と
　ことを特徴とする映像機器におけるモード選択装置。
　【請求項２】　押圧操作によりモードに関する主メニューを表示手段に表示し又は表示を消すための入力手段及び回転操作によってメニュー表示された選択肢の内所望の項目を選択するための入力手段の両機能を備えることで当該入力手段が一体化されている
　ことを特徴とする請求項１に記載の映像機器におけるモード選択装置。
【発明の詳細な説明】
　【０００１】
　【産業上の利用分野】
　本発明は、映像機器において操作モードに係るメニュー表示の階層化を図るとともに、モード設定を容易にして操作性の向上を図ることができるようにした新規な映像機器におけるモード選択装置を提供しようとするものである。
　【０００２】
　【従来の技術】
　小型ビデオカメラ等の携帯型映像機器においては、多機能化に伴って機器のもつファンクションに関してユーザーが行うモードの数も増加する傾向がみられる。
　【０００３】
　例えば、携帯用ビデオカメラでは、現在選択されているモードを記号や文字等でＥＶＦ（Ｅｌｅｃｔｒｏｎｉｃ　Ｖｉｅｗ　Ｆｉｎｄｅｒ）や外部モニタ上に表示する機能を備えており、キー操作で選択したモードに対応した指標が画面上に記号等によって表示されるので、これによってユーザーはモード変更時に指標の有無及び種類から選択されているモードを把握することができるようになっている。
　【０００４】
　【発明が解決しようとする課題】
　ところで、従来の装置にあっては、モード設定用キーの操作やメニューの表示形式に関して次のような問題がある。
　【０００５】
　（１）モード設定用キーの配列や形状に関する問題点。
　【０００６】
　（１−ａ）キーの配列が、モード設定の操作手順に対応していない。
　【０００７】
　（１−ｂ）キー操作に関して方向性が、統一されていない。
　【０００８】
　（１−ｃ）キーの形状が類似しているため、キーの数が多い場合にキーを区別しづらい。
　【０００９】
　（２）メニュー表示に関する問題点。
　【００１０】
　（２−ａ）メイン（主）メニューの選択肢に対してモード数の多いサブ（副）メニューによる表示には困難が伴う。
　【００１１】
　（２−ｂ）モード設定の際に、現在の設定モードに関する情報が表示されない。
　【００１２】
　上記の問題点により、モード設定操作が非常に複雑なものとなり、ユーザーが機器の機能を自由に使いこなせるようになるには相当の習熟と時間を費やさねばならず、購入後直ちに活用することが困難であった。
　【００１３】
　【課題を解決するための手段】
　そこで、本発明映像機器におけるモード選択装置は上記した課題を解決するために、操作モードに関する主メニューを表示手段に表示し又は表示を消すための第１の入力手段と、メニュー表示された選択肢の内所望の項目を選択するための第２の入力手段と、選択したモードを確定するための第３の入力手段とこれによって確定したモードを保持する保持手段とを設けるとともに、これら入力手段からの指示に応じて主メニューの配下に階層構造をもって設けられる副メニューを作成して当該副メニューを主メニューと一緒に表示させるために表示手段に送出し、かつ保持手段による設定モード情報に基づいて
現在の設定モードに係る項目を、該項目が他の項目に変更されるまでの間、第２の入力手段により選択されている項目と
　【００１４】
　【作用】
　本発明によれば、第１の入力手段によってメニュー表示を行った後、第２の入力手段により所望のモードを選んでこれを第３の入力手段によって確定するにあたって、主メニューの配下に階層構造をもって設けられる副メニューを作成しこれを主メニューとともに表示してメニュー表示を参照しながらモード設定を行うことができる。
　【００１５】
　よって、操作手順については、主メニューからその下層に位置する副メニューへと順番に進んで行けば良く、また、各メニューにおけるモード設定を選択と確定という統一された操作によって必要最小限のキーのみで行うことができる。
　【００１６】
　そして、モード数の多い副メニューについては、階層構造を採用することによって表示が煩雑化しないように考慮し、かつ、副メニューに係るモードの選択時には、主メニューを消さずにこれを残して副メニューとともに表示することにより、最上位である主メニューと副メニューとの観念的なつながりを常に把握することができ、また、現在の設定モードに係る項目を他と区別して表示することによって重複した設定操作の無駄を省くことができる。
　【００１７】
　【実施例】
　以下に、本発明映像機器におけるモード選択装置を、小型ビデオカメラに適用した実施例に従って説明する。
　【００１８】
　図１はビデオカメラ１の概要を示すものである。
　【００１９】
　被写体からの光はレンズ２を通ってＣＣＤ型エリアイメージセンサー等の固体撮像素子３に受光した後カメラ信号プロセス回路４に送出される。
　【００２０】
　カメラ信号プロセス回路４においてマトリクス処理により色再現に係る処理等を施された後の映像出力は混合部５に送られ、ここで後述するＯＳＤＣ（Ｏｎ　Ｓｃｒｅｅｎ　Ｄｉｓｐｌａｙ　Ｃｏｎｔｒｏｌｌｅｒ）部からのメニュー表示信号と合成された後、ＥＶＦ６に送出されたり、ビデオ信号出力端子７を介して図示しない外部モニタ等に出力されるようになっている。
　【００２１】
　８は入力部であり、メニューキー９、選択リング１０、送り／確定キー１１を有する。
　【００２２】
　これらのキーのうち、メニューキー９はモード設定に係るメインメニューの表示を行うために設けられたキーであり、選択リング１０はモード設定に係る選択肢を選択するために設けられており、また、送り／確定キー１１は、あるメニューからその下の階層に位置するサブメニューへの送り（移行）や選択リング１０によって選んだ項目について確定するために設けられている。
　【００２３】
　尚、この例ではメニューキー９と送り／確定キー１１に関してプッシュ式のスイッチを用い、その大きさに違いをもたせることで両者を区別するようにしており、また、選択リング１０に関しては回動式のスイッチを用いている。
　【００２４】
　１２はキー入力部であり、キー入力読取部１３と、回転検出部１４とを有する。
　【００２５】
　キー入力読取部１３は、メニューキー９や、送り／確定キー１１が押圧されたかどうかを検出するために設けられ、また、回転検出部１４は、選択リング１０の回転量や速さ、方向を検出するために設けられている。
　【００２６】
　そして、これらキー入力読取部１３や回転検出部１４の検出結果は、後段のメニュー作成部１５に送出される。
　【００２７】
　メニュー作成部１５は、設定モード状態記憶部１６やカーソル位置記憶部１７、表示データ作成部１８、ＯＳＤＣ部１９とからなっている。
　【００２８】
　表示データ作成部１８は、設定モード状態記憶部１６やカーソル位置記憶部１７の記憶情報を参照しながら、上記キー入力部１２からの信号を受けてメニュー表示情報を作り出してこれをＯＳＤＣ部１９を介して混合部５に送出したり、既定モード等の予め決められている情報については、これらを設定モード状態記憶部１６やカーソル位置記憶部１７に保持するようになっている。
　【００２９】
　図４は、上記ビデオカメラ１におけるメニュー表示を概念的に示すものであり、この例では画面の横方向において、左に行くに従ってメニューの階層が下るように配置された表示形式が用いており、画面の縦方向には同等の資格をもった選択肢が並列的に配列されるように決められている。
　【００３０】
　即ち、画面２０が横方向に亘って３分の１に区分けされており、メインメニューの表示領域２１が最も左寄りに位置、その右隣の領域２２がその直下のサブメニュー（図では「サブ（１）」と記す。）の表示領域とされ、そしてその右隣に位置する領域２３がさらにその下のサブメニュー（図では「サブ（２）」と記す。）の表示領域とされている。
　【００３１】
　尚、メニューの階層が深く、多数のサブメニュー画面を必要とする場合には、サブメニューに関して複数のページ分けを行い、必要に応じて操作対象となるページ画面への切り替えを行って所望の項目を選択することができるようになっている（尚、図４ではページ（１）にサブメニュー（１）とサブメニュー（２）とが含まれ、その下のサブメニュー（３）とサブメニュー（４）とがページ（２）に含まれている例を示す。）。
　【００３２】
　また、一のサブメニューに関してついては、選択肢の数が多岐に亘り画面の縦方向に収まらない場合には、現在の設定モードを中心としてその上下に選択肢を部分的に表示させるとともに、Ｕ方向へのアップスクロールや、Ｄ方向へのダウンスクロールを行って所望の項目を選択することができるようになっている。
　【００３３】
　次に、モード設定について操作例の幾つかを図５乃至図１２に従って説明する。
　【００３４】
　図５乃至図９は、タイトル色を選択する際の操作例を示すものであり、この場合、メインメニューの下には色の選択に係る一のサブメニューだけが存在する。
　【００３５】
　１）メニューキーの押圧。
　【００３６】
　先ず、メニューキー９を押すと図５に示すように画面上にメインメニューが表示される。その際、メインメニューの最上位に位置するモード（図では「撮影モード」）が反転表示され、このモードに対するサブメニューが領域２２に表示される。
　【００３７】
　そして、サブメニューにおいては、既に設定されているモード（図では「ＡＥオート」）が反転表示される。
　【００３８】
　２）選択リングによる「タイトル色」の選択。
　【００３９】
　次に、選択リング１０を回すと、その回転方向に応じてメインメニューの反転表示が上下に移動する（図６参照。）。
　【００４０】
　その際、選択リングの回転速度が遅い場合にはメインメニューのうち反転表示された項目に対してするサブメニューが表示されるが、選択リングの回転速度が速い場合には、メインメニューの選択項目に対するサブメニューの表示は行われない。
　【００４１】
　尚、図６ではメインメニューの項目「タイトル色」に関して現在の設定モードが「アカ」であることが、反転表示によって示されている。
　【００４２】
　３）送り／確定キーの押圧。
　【００４３】
　送り／確定キー１１を押圧すると、図７に示すように、現在の選択されているモード「アカ」の先頭にカーソル２４が表示される。
　【００４４】
　４）選択リングを用いたサブメニューのモード選択。
　【００４５】
　選択リング１０を回すと、その回転方向に対応してカーソル２４が上下方向に移動する（図８ではカーソルが下方に移動し、「クロ」の位置を指している。）。
　【００４６】
　つまり、カーソル２４は、選択リング１０の回転に合わせて選択されるモードを指し示している。
　【００４７】
　尚、既定のモードに対しては、その項目が反転表示されたままである。
　【００４８】
　５）送り／確定キーの押圧。
　【００４９】
　送り／確定キー１１を押すと、図９に示すようにサブメニューのモードが確定する。図ではそれまで「アカ」であったタイトル色が「クロ」に設定される。そして、メインメニューについて選択を行い得る状態に戻る。
　【００５０】
　６）メニューキーの押圧。
　【００５１】
　メニュー表示が画面から消えてこれまで行ってきた一連のモード設定操作が終了する。
　【００５２】
　次に、サブメニューが複数の階層に亘って存在する場合のモード設定操作について、図１０に示す表示例に従って説明する。
　【００５３】
　尚、図１０ではタイトルに関して反転表示を行うか否か、そして各場合におけるスクロールの有無及び向きの指定についての設定例を示している。
　【００５４】
　メインメニューの直ぐ下に位置するサブメニューに係る操作については、上記した１）乃至３）の手順と同様にして行えば良く、メニューキー９の押した後に選択リング１０を用いて「タイトル」を選択してから送り／確定キー１１を押す。
　【００５５】
　４′）選択リングや送り／確定キーの操作。
　【００５６】
　既に送り／確定キー１１の押圧によってサブメニューが表示されているので、選択リング１０によって所望の項目を選んで送り／確定キー１１によりこれを確定する。
　【００５７】
　これによって、その下のサブメニューが表示されるので、上記４）、５）と同様の操作で選択肢の一を選んで確定する。
　【００５８】
　図１０では、「タイトル」に関する既定モードとして「通常」が設定されており、スクロールの向きは「上」となっている例を示している。
　【００５９】
　例えば、スクロールの向きだけを変更したい場合には、既定値である「通常」について確定したのち、選択リング１０によってスクロールについて所望の項目を設定すれば良い。
　【００６０】
　尚、階層が多岐に亘る場合には図４で説明したように、送り／確定キー１１の次々に押して行けば、サブメニューのページ画面が切り替わっていく。
　【００６１】
　また、カーソルが最下層のサブメニューに位置する場合には行き止まりとなり、モードの確定後にメインメニューについての選択が可能な状態に戻る。
　【００６２】
　次に、モードの選択肢が多数存在する場合の操作例について図１１、図１２に示す表示例を用いて説明する。
　【００６３】
　選択肢が多数存在する場合には、前述したようにサブメニューの表示項目に関してスクロール操作を必要する。図１１及び図１２は「エリア」の指定に関して地名の数が、一画面内に入りきらない程多い場合を示している。
　【００６４】
　この場合、図１１に示すように、既定モードとされる項目（図では「トウキョウ」）を中心に、その上下に選択肢が部分的に表示され、サブメニューの最上端や最下端に矢印２５（上向きの矢印）、２６（下向きの矢印）がそれぞれ表示される。
　【００６５】
　但し、選択肢が末端に達した時、例えば、図１２に示すように上端に達したときには下向き矢印２６だけが表示され、逆に選択肢が下端に達したときには、上向き矢印２５だけが表示されるようになっている。
　【００６６】
　以上の選択操作を途中で中断する場合には、サブメニューでのモード選択時にメニューキー９を押せば、最後に送り／確定キー１１を押したときの状態に戻り、そのメニュー表示が消えるようになっている。
　【００６７】
　図２及び図３はモード設定の流れを示すフローチャート図であり、図２は処理の前半部を示し、図３は処理の後半部を示している。
　【００６８】
　図２に示すように、ステップａ）においてキー入力に関する操作がなされると、次ステップｂ）においてキー入力読取部１３によりメニューキー９が押圧されたか否かが判断され、メニューキー９が押されていれば次ステップｃ）に進み、メニューキー９が押されていなければステップｇ）に飛ぶ。
　【００６９】
　ステップｃ）では既にメニュー表示がなされているか否かを判断し、表示されている場合に次ステップｄ）で選択途中の項目を取り消してからステップｅ）においてメニューを消去する。また、メニューが表示されてない場合にはステップｆ）でメニューの表示を行う。
　【００７０】
　メニュー表示については、メニュー作成部１５の表示データ作成部１８が設定モード状態記憶部１６やカーソル位置記憶部１７の記憶情報を参照しながら、メインメニューの場合には最上端の項目を反転表示し、またサブメニューの場合には既定モードに係る項目を反転表示して行う。そして、表示データ作成部１８によって得られるメニュー表示データはＯＳＤＣ部１９を介して文字や図形信号となって混合部５で映像信号とスーパーインポーズされ、合成出力がＥＶＦ６や外部モニタに送出される。
　【００７１】
　尚、この例ではメニュー情報と映像情報とを電気的な信号合成によって行っているが、液晶表示手段によって表示されるメニュー表示を、ハーフミラー等によって映像画面に光学的に合成するようにしても良い。また、モードによっては、映像の参照を必要としない場合もありうるので、映像とメニューとの合成を行わずにブルーバックの画面にメニューを表示する等、表現形態に多様性を持たせるようにすると良い。
　【００７２】
　続くステップｇ）においてさらにメニュー表示の有無について判断し、メニューが表示されている場合に次ステップｈ）に進んで、選択リング１０による入力がなされたかどうかを問う。
　【００７３】
　また、メニューが表示されていない場合にはステップａ）に戻る。
　【００７４】
　ステップｈ）において選択リング１０の操作がなされたときには、次ステップｉ）でタイマーがリセットされた後、ステップｊ）でタイマーの動作が開始し、ステップｋ）に進む（図３参照。）。
　【００７５】
　尚、ステップｈ）において選択リング１０の操作がなされない場合には単にステップｋ）に飛ぶ。
　【００７６】
　ステップｋ）においてタイマーにより所定時間が経過したことが分かると、ステップｌ）において選択リング１０の変化量が回転検出部１４によって検出される。
　【００７７】
　その後、ステップｍ）においてメインメニューにカーソルがあるかどうかが問われ、そうであれば次ステップｎ）でメインメニュー上でのカーソルの移動を行った後、ステップｏ）でメインメニュー上の選択モードについてサブメニューの表示を行ってステップｐ）に進む。また、ステップｍ）においてメインメニューにカーソルがなければステップｑ）においてサブメニューにカーソルを移動してステップｐ）に進む。
　【００７８】
　尚、ステップｋ）において所定時間が経過しないうちに選択リング１０が操作されているときには前述したようにサブメニューの表示は行わずにステップｐ）に飛ぶ。
　【００７９】
　ステップｐ）では、送り／確定キー１１が押されたかどうかが判断され、押されたならば、次ステップｒ）に進むが、押されなければステップａ）に戻る。
　【００８０】
　ステップｒ）においては、送り／確定キー１１によって最下層のサブメニューにカーソルが移ったかどうかが判断され、これ以下のサブメニューが存在しない場合にはステップｓ）に進み、さらに下層のサブメニューがある場合には、ステップｔ）に進む。
　【００８１】
　即ち、最下層のサブメニューに達した場合には、ステップｓ）において現在選んでいるモードに設定した後、次ステップｕ）でサブメニューに関するカーソルを消去してから最初のステップａ）に戻る。
　【００８２】
　また、さらにサブメニューが控えている場合には、ステップｔ）において現時点で選んでいる項目を設定して、これに対応するサブメニューを表示する。そして、次ステップｖ）でサブメニューにおける既定モードに対してカーソル表示を行った後最初のステップａ）に戻る。
　【００８３】
　最後に、スイッチやメニュー表示に関する幾つかの実施態様について例示する。
　【００８４】
　上記の例では、選択リング１０の操作によって選択肢のうち所望のものにカーソルを移動させるようにしたが、これは操作の容易性を考慮したためであり、スイッチの形状については、例えば、図１３に示すようにアップキー２７とダウンキー２８とにより方向キーを構成して、アップキー２７の押圧時にカーソルが上方に進み、ダウンキー２８の押圧時にカーソルが下方に進むようにしても良い。
　【００８５】
　また、上記の例では、図１３（ａ）に示すように、表示画面の縦方向をモードの選択方向に選ぶとともに表示画面の横方向をメニューの階層に方向に選んで選択リング１０（又はアップ／ダウンキー）の操作方向がモードの変更方向に対応するよう縦型の配置にしたが、これとは逆に図１３（ｂ）に示すように、表示画面の横方向をモードの選択方向に選ぶとともに表示画面の縦方向をメニューの階層に方向に選んで選択リング１０（又はアップ／ダウンキー）の操作方向をモードの変更方向に対応するような横型の配置を採用しても良い。
　【００８６】
　また、メニュー表示に関しては、様々な表現形態を採ることができ、例えば、選択した項目の表示に関して上記の例では、選択項目の指示を３角形状のカーソルによって行ったが、項目の色分けや表示文字に種類を変えることによって選択した項目とそれ以外の項目とを区別するようにしたり、選択した項目をブリンク表示で区別しても良い。
　【００８７】
　そして、選択肢の表現方法についても文字による表示に限らず、アイコンを取り入れたり、また、量の設定、例えば、日時の設定を行うような場合に、図１４に示すように数字を列記するディジタル的な表現形態の他、図１５に示すようバーグラフ表示によるアナログ的な表現形態を採ることができる。
　【００８８】
　そして、メニューの形状に関しても選択肢を直線的に配置する他、曲線的或いは円環状に配置する等、操作や選択肢の把握についての容易性を考慮して決定することが好ましい。
　【００８９】
　【発明の効果】
　以上に記載したところから明らかなように、本発明によれば、主メニューの配下に階層構造をもって設けられる副メニューを主メニューとともに参照しながらモード設定を行うことができ、主メニューからその下層に位置する副メニューへと順番に進む場合において、各階層でのモード設定を選択と確定という統一された操作によって行うことができる。
　【００９０】
　また、モード数の多い副メニューについては、階層構造を採用することによって表示が煩雑化しないように考慮し、かつ、副メニューに係るモードの選択時には、主メニューを消さずにこれを残して副メニューとともに表示することにより、最上位である主メニューに関する選択モードとその下の副メニューの選択肢との間の観念的なつながりやモードの全容を把握することができる。そして、現在の設定モードに係る項目を他と区別して表示することによって重複設定の無駄を省くことができる。
　【００９１】
　尚、前記した実施例においてはモードに係る選択肢についてスクロール操作を行うことができるようにしたが、これによって、選択肢の数が多いのメニュー表示に対応することができる。
　【００９２】
　また、本発明によれば、メニュー表示の有無、選択、確定という比較的少数の操作手段によってモード設定を行うことができ、その際、キーの形状や大きさ等をそれぞれに変えて触覚によりキーを容易に区別できるようにすれば、表示画像から目を離さずにブラインドタッチで操作を行うことができる。
　【００９３】
　尚、前記した実施例は、本発明の一実施例にすぎず、この例のみによって、本発明の技術的範囲が狭く解釈されるわけではない。
　【００９４】
　例えば、前記した例では、メニューキー、選択リング、送り／確定キーを各別に設けた例を示したが、メニューキーと選択リングの機能を兼ね備えたキー（例えば、押圧操作によってメニューキーの役割を果たし、回動操作によって選択リングの役割を果たすもの等）と送り／確定キーとの組み合わせを選ぶことも可能である。
　【００９５】
　また、本発明はビデオカメラに限らず、ＶＴＲ等の映像機器に広く適用することができることは勿論である。
【図面の簡単な説明】
　【図１】
本発明に係るビデオカメラの概要を示すブロック図である。
　【図２】
　メニュー表示及びモード設定に関する処理の流れの前半部を示すフローチャート図である。
　【図３】
　図２の続く処理の流れを示すフローチャート図である。
　【図４】
　メニュー表示方法についての概念的な説明図である。
　【図５】
　メニュースイッチを初めて押したときのメニュー表示例を示す図である。
　【図６】
　メインメニューとサブメニューとの関係についての画面表示例を示す説明図である。
　【図７】
　メインメニューについてのモード設定時における画面表示例を示す説明図である。
　【図８】
　サブメニューにおけるカーソルの表示と移動に関する画面表示例を示す説明図である。
　【図９】
　サブメニューについてのモード設定時における画面表示例を示す説明図である。
　【図１０】
　サブメニューが複数の階層に亘って存在する場合の画面表示例を示す説明図である。
　【図１１】
　サブメニューの選択肢が多数存在する場合において、カーソルで指示される項目を中心にその前後の選択項目が表示された状態の画面表示例を示す説明図である。
　【図１２】
　サブメニューの選択肢が多数存在する場合において、選択項目が末端部に達した状態の画面表示例を示す説明図である。
　【図１３】
　メニュー構造と選択キーとの対応関係を概念的に示す説明図であり、（ａ）はモードに選択を画面の縦方向に亘って行う例を示し、（ｂ）はモードの選択を画面の横方向に亘って行う例を示す。
　【図１４】
　サブメニューのモード設定時に関して量的な選択を行う場合の画面表示例を示す説明図である。
　【図１５】
　サブメニューのモード設定時に関して量的な選択を行う場合の、図１４とは別の画面表示例を示す説明図である。
　【符号の説明】
　１　映像機器におけるモード選択装置
　６　表示手段
　９　第１の入力手段
　１０　第２の入力手段
　１１　第３の入力手段
　１６　保持手段
　１８　メニュー作成手段
　２１　主メニュー
　２２、２３　副メニュー